(57)【要約】【課題】  露出設定が最適な撮像装置を提供する。【解決手段】    撮影レンズの着脱が可能な撮像装置であって、撮影レンズにより形成される被写体像を受け、これを光電変換する撮像素子（１１）と、撮影レンズからの光を用いて測光を行う測光手段（２０）と、撮像素子が受ける露光量を検出する露光量検出手段（２２）と、露光量検出手段により検出された露光量を示す情報に基づいて、測光手段を用いて得られた露出情報を補正するための補正情報を求める補正手段とを有することを特徴とする撮像装置。【選択図】  図９
2005031692.tif 000002
【特許請求の範囲】
【請求項１】
撮影レンズの着脱交換が可能で、前記撮影レンズにより形成される被写体像を受け、これを光電変換する撮像素子を有する撮像装置であって、
前記撮影レンズからの光を用いて測光を行う測光手段と、
前記撮像素子が受ける露光量を検出する露光量検出手段と、
前記露光量検出手段を用いて得られた検出結果に基づいて、前記測光手段を用いて得られた検出結果を補正するための補正情報を求める手段とを有することを特徴とする撮像装置。
【請求項２】
前記補正情報は、前記撮影レンズが交換される毎に求められることを特徴とする請求項１に記載の撮像装置。
【請求項３】
請求項１または２に記載の撮像装置と、前記撮像装置に着脱交換が可能な撮影レンズとを有することを特徴とする撮像システム。
【発明の詳細な説明】
【技術分野】
【０００１】
本発明は、撮影レンズの着脱交換が可能な撮像装置、例えば、デジタル一眼レフカメラに関するものである。
【背景技術】
【０００２】
レンズ交換が可能なデジタル一眼レフカメラの焦点検出装置としては、従来の銀塩フ
ィルム用の一眼レフカメラと同様に、いわゆる位相差検出方式の焦点検出装置が主に用
いられている。また、ビデオカメラで用いられているような、いわゆるコントラスト検
出方式の焦点検出装置と位相差検出方式の焦点検出装置とを組み合わせて撮影レンズの
合焦制御を行うハイブリッド方式なども提案されている。
【０００３】
ここで、位相差検出方式は、撮影光束の一部を２つに分割し、これら２つの光束をそ
れぞれラインセンサ上に結像させ、ラインセンサ上の２つの像のずれ方向とずれ量を検
出することによって予定焦点面（撮影面と共役な面）で合焦させるために必要な焦点調
節レンズの移動方向および移動量を算出するものである。このような位相差検出方式で
は、合焦に必要な焦点調節レンズの移動方向および移動量を直接算出することができる
ので、合焦を素早く得ることができる。
【０００４】
また、コントラスト検出方式は、被写体像を撮像するための撮像素子から出力された
信号に基づいて生成された映像信号の中から高周波成分を抽出し、この高周波成分のレ
ベルを所定のサンプリング間隔で観察して、高周波成分のレベルがピークに向かう方向
に焦点調節レンズを駆動することによって、最終的に高周波成分のレベルが所定のピー
ク範囲に到達することをもって合焦と判定するものである。このようなコントラスト検
出方式では、被写体像を撮像する撮像素子からの出力信号に基づいて得られた映像信号
を用いて合焦判定を行うので、被写体に対して高精度で合焦を得ることができる。
【発明の開示】
【発明が解決しようとする課題】
【０００５】
しかしながら、レンズ交換が可能なデジタル一眼レフカメラにおいて、上記位相差検
出方式の焦点検出装置のみを用いたのでは、十分な合焦精度が得られないおそれがある。
その主な理由としては、観察または撮影される像を形成する撮像光学系の光束と焦点検
出装置が取り込む光束とが一般に異なることが挙げられる。
【０００６】
また、位相差検出方式の焦点検出装置においては、本来、縦（光軸）方向の収差量に
よって決定されるべき焦点位置あるいは焦点外れ量を横方向の収差に関連した像のずれ
に変換して求めているため、撮影光学系に収差がある場合には、収差補正の状態によっ
てその両者に差が生じることが考えられる。
【０００７】
こうした問題を解決するために、撮影レンズ毎に固有の補正値Ｃを用いて、例えば焦
点外れ量を表す焦点検出信号Ｄを、
ＤＣ＝Ｄ−Ｃ            …（１）
により補正するための補正回路を設け、得られた補正焦点検出信号に基づいて撮影光学
系の全体もしくは一部を駆動し、最良の結像位置を撮像面と一致させるようにレンズを
制御している。
【０００８】
しかしながら、この方法においては、上記補正値Ｃは一般的に設計補正値を用いてお
り、カメラの製造段階で発生する誤差を含んでいない。このため、製造段階で発生する
誤差が存在する場合、それが十分な合焦精度が得られない原因となってしまう。
【０００９】
一方、位相差検出方式とコントラスト検出方式との組み合わせにより合焦制御を行う
ハイブリッド方式をレンズ交換が可能なデジタル一眼レフカメラに用いた場合には、ま
ず位相差検出方式で粗調を行い、コントラスト検出方式で微調を行うことによりある程
度高速でかつ精度良く合焦を得ることが行うことが可能となるが、この方式でも、結局、
最終的な合焦までの制御をコントラスト検出方式で行うため、合焦に要する時間を十分
に短縮することができない。
【００１０】
また、光学ファインダを用いたデジタル一眼レフカメラにおいては、撮影光学系か
ら取り込んだ光束を、ファインダ光学系、位相差検出方式の焦点検出装置およびコン
トラスト検出方式の焦点検出装置の３つにそれぞれ光量を損なわずに導くために、時系
列で光束の導き先の切り換え行う。このため、検出時間が長くなってしまう。
【００１１】
本発明は、最適な露出設定が可能な撮像装置を提供することを目的の一つとする。
【課題を解決するための手段】
【００１２】
上記の目的を達成するために、本発明では、撮影レンズの着脱交換が可能で、撮影レンズにより形成される被写体像を受け、これを光電変換する撮像素子を有する撮像装置であって、撮影レンズからの光を用いて測光を行う測光手段と、撮像素子が受ける露光量を検出する露光量検出手段と、露光量検出手段を用いて得られた検出結果に基づいて、測光手段を用いて得られた検出結果を補正するための補正情報を求める手段とを有することを特徴とする。
【００１３】
ここで、補正情報は、撮影レンズが交換される毎に求めるようにするのが好ましい。
【発明の効果】
【００１４】
本発明によれば、測光手段を用いて得られた検出結果を補正するための補正情報を用いて、撮影時の露出補正を行うことができるため、最適な露出設定が可能となる。また、補正情報を撮影レンズが交換される毎に求めることにより、装着される撮影レンズに応じた補正情報を求めることができるため、撮影レンズ毎に最適な露出設定が可能となる。
【発明を実施するための最良の形態】
【００１５】
まず、本発明の前提技術について説明する。
【００１６】
図１には、本発明の第１の前提技術であるデジタル一眼レフカメラシステムの構成を示している。このカメラシステムは、撮影レンズ１と、この撮影レンズ１の着脱交換が可能なデジタル一眼レフカメラ（撮像装置：以下、カメラ本体という）８とから構成されている。
【００１７】
同図において、撮影レンズ１内には、対物レンズとしての撮影光学系２が収容されて
いる。撮影光学系２は、１又は複数のレンズ群から構成され、その全てもしくは一部を
移動させることで焦点距離を変化させたり、フォーカス調節を行ったりすることができ
る。
【００１８】
３はフォーカス調節のために撮影光学系２内の焦点調節レンズ(２ａ)を駆動するフォ
ーカス駆動ユニットであり、４は焦点調節レンズ２ａの位置を検出するためのフォーカ
ス位置検出器４である。
【００１９】
６はＲＯＭ等からなる記憶回路であり、５は撮影レンズ１の全体の制御を司るＣＰＵ
等からなるレンズ制御回路５である。
【００２０】
なお、図示はしないが、撮影レンズ１内には、変倍のために撮影光学系２内の変倍レ
ンズ（図示せず）を駆動するためのズーム駆動ユニット、絞りユニット（図示せず）、
変倍レンズや絞り位置を検出するための検出器が収容されている。
【００２１】
ここで、フォーカス位置検出器４としては、例えば、焦点調節レンズ２ａを光軸方向
に移動させるために回転又は移動する鏡筒に設けられたエンコーダ用の電極と、これに
接触する検出用の電極等を用いて構成され、焦点調節レンズ２ａの位置又は基準位置か
らの移動量に対応する信号を出力するものが用いられている。但し、フォーカス位置検
出器４としてはこれに限らず、光学式や磁気式等の各種検出器を用いることができる。
【００２２】
一方、カメラ本体８内には、撮影光路に対して進退可能な主ミラー９と、撮影光路内
に配置された主ミラー９で上方に反射した光により被写体像が形成される焦点板１７、
焦点板１７に形成された被写体像を反転するペンタプリズム１８および接眼レンズ１９
からなるファインダ光学系とが収容されている。
【００２３】
さらに、主ミラー９の背面側には、主ミラー９のハーフミラー部を透過した光束を下
方に導くサブミラー１０が、主ミラー９とともに撮影光路に対して進退可能に設けられ
ている。
【００２４】
また、カメラ本体８内には、サブミラー１０で反射した光束が導かれる焦点検出ユニ
ット１２と、カメラ本体８の全ての制御を司るカメラ制御回路１３と、撮影光学系２が
形成する被写体像を光電変換するＣＣＤ，ＣＭＯＳセンサ等の撮像素子１１とが収容さ
れている。
【００２５】
また、カメラ本体８内には、撮像素子１１からの出力信号を用いて光電変換画像（撮
影画像）のコントラスト検出を行い、撮影光学系２内の焦点調節レンズ２ａが合焦位置
にあるか否かを判定する合焦判定ユニット１６と、この合焦判定ユニット１６からの出
力と焦点検出ユニット１２からの出力との差分を算出する演算回路１４と、この演算回
路１４により算出された差分量を補正情報として記憶するＥＥＰＲＯＭ等の記憶回路１
５とが収容されている。なお、合焦判定ユニット１６は、いわゆるコントラスト検出方
式により撮影レンズの自動合焦制御を行う焦点検出装置として知られているものと同様
のものである。
【００２６】
また、カメラ制御回路１３および演算回路１４により、請求の範囲にいう補正手段が
構成される。
【００２７】
７は撮影レンズ１およびカメラ本体８に備えられた通信接点であり、互いに装着され
た状態で通信接点７を介して各種情報のやり取りやカメラ本体８側から撮影レンズ１側
への電源供給が行われる。また、カメラ本体８には、前述した補正情報を算出および記
憶するためのキャリブレーションモードを設定するためのスイッチ（図示せず）を有し
ている。
【００２８】
図２には、図１に示した焦点検出ユニット１２の光学系部分の構成を示している。同
図において、２７は撮影光学系２の光軸上の光線であり、撮影光学系２から主ミラー９
を透過して撮像素子１１の撮像面１１ａに至る。２１はサブミラー１０よる撮像面１８
に共役な近軸的結像面、２２は反射鏡である。２３は赤外カットフィルタである。
【００２９】
２４は絞りであり、２つの開口部２４−１，２４−２を有している。２５は２次結像
光学系であり、絞り２４の２つの開口部２４−１，２４−２に対応して配置された２つ
のレンズ２５−１，２５−２を有している。３６は反射鏡であり、２６は光電変換素子
（センサ）である。この光電変換素子２６は、２つのエリアセンサ２６−１，２６−２
を有している。
【００３０】
ここで、サブミラー１０は曲率を有し、絞り２４の２つの開口部２４−１，２４−２
を撮影光学系２の射出瞳付近に投影する収束性のパワー（屈折力：焦点距離の逆数）を
持っている。
【００３１】
また。サブミラー１０は、必要な領域のみが光を反射するように、ガラス基板の表面
にアルミニウムや銀等の金属膜が蒸着されていて、焦点検出を行う範囲を制限する視野
マスクの働きを兼ねている。
【００３２】
また、他の反射鏡２２，３６においても、光電変換素子２６上に入射する迷光を減少
させるため、必要最低限の領域のみにアルミニウムや銀等の金属膜が蒸着されている。
なお、各反射鏡の反射面として機能しない領域には、光吸収性の塗料等を塗布するのが
よい。
【００３３】
図３は、図２に示した絞り２４を光入射方向から見た図である。絞り２４には、横長
の２つの開口部２４−１，２４−２を開口幅の狭い方向に並べた構成となっている。図
中に点線で示されているのは、絞り２４の開口部２４−１，２４−２に対応してその光
射出側に配置されている２次結像系２５の各レンズ２５−１，２５−２である。
【００３４】
図４には、図２に示した光電変換素子２６を光入射方向から見た図である。２つのエ
リアセンサ２６−１，２６−２はそれぞれ、この図に示すように２次元的に画素を配列
したセンサであり、これらエリアセンサ２６−１，２６−２は２つ並べられている。
【００３５】
以上のように構成された焦点検出ユニット１２およびこれに光を導く光学系では、図
２に示すように、撮影光学系２からの光束２７−１，２７−２が主ミラー１９のハーフ
ミラー面を透過した後、サブミラー１０によりほぼ主ミラー１９の傾きに沿った方向に
反射され、反射鏡２２によって後方に向きを変えられた後、赤外カットフィルタ２３を
通ってそれぞれ絞り２４の２つの開口部２４−１，２４−２を通る。
【００３６】
そして、絞り２４の２つの開口部２４−１，２４−２を通った光束はそれぞれ、２次
結像系２５のレンズ２５−１，２５−２により集光され、反射鏡３６で下方に向きを変
えられて光電変換素子２６上のエリアセンサ２６−１，２６−２にそれぞれ到達する。
【００３７】
図２中の光束２７−１，２７−２は、撮像面１１ａの中央に結像する光束であるが、
他の位置に結像する光束についても同様の経路を経て、光電変換素子２６に達し、全体
として撮像素子１１上の所定の２次元領域に対応する被写体像に関する２つの領域の光
量分布が光電変換素子２６の各エリアセンサ２６−１，２６−２上に形成される。
【００３８】
焦点検出ユニット１２は、上記のようして得られた２つの被写体像に関する光量分布
に対して、位相差検出方式の検出原理に従って、被写体像の分離方向および分離量、す
なわち図４に示す２つのエリアセンサ２６−１，２６−２上での上下方向における相対
的位置関係を、エリアセンサ２６−１，２６−２上の各位置で算出することで、撮影光
学系２の焦点調節状態の検出（以下、焦点検出という）を行い、その結果を焦点外れ量
（デフォーカス量）Ｄとして出力する。
【００３９】
そして、第１の前提技術では、この焦点外れ量Ｄに応じて求められる焦点調節レンズの合焦を得るための駆動位置が撮影レンズ１の機種毎にできるだけ精度の高い合焦を得るための値となるように、予めレンズ側の記憶回路６には、該レンズ機種の設計上の補正値が記憶されており、カメラ本体側ではこれを用いて撮影時における最良結像位置と撮像面１１ａとを一致させるための補正を行う。
【００４０】
但し、レンズ側の記憶回路６に記憶されている補正値は、同一機種であっても撮影レ
ンズごとの個体差や焦点検出ユニット１２の個体差を含んでいないため、記憶回路６に
記憶されている設計上の補正値をそのまま用いても、真に正確な合焦状態を得ることが
難しい。
【００４１】
そこで、第１の前提技術では、レンズ側の記憶回路６に記憶されている設計上の補正値を上記個体差を反映したより高精度に合焦を得るための値とするため（つまりは、焦点検出ユニット１２により検出された焦点外れ量Ｄに基づくレンズの合焦駆動位置としてより高精度に合焦を得る値を得るため）、まず、フォーカス駆動ユニット３によって焦点調節レンズ２ａを光軸方向に移動させながら、撮像素子１１から得られる画像信号のコントラストを検出し、このコントラスト状態から合焦判定ユニット１６により合焦位置を判定する。
【００４２】
そして、合焦判定ユニット１６により判定（検出）された合焦位置と、焦点検出ユニ
ット１２を用いて算出された合焦位置との差分量を演算回路１４により算出し、この差
分量を現に装着されている撮影レンズ１の固有の補正情報としてカメラ本体側の記憶回
路１５に記憶する。なお、ここでは、この撮影レンズ１の固有の補正情報を得るための
一連の動作をキャリブレーションと称する。
【００４３】
ここで、図５に示すフローチャートを用いて、上記キャリブレーションを行うカメラ
システムの動作について説明する。第１の前提技術では、撮影レンズ１を新たにカメラ本体８に装着したとき又は交換したときに、カメラ本体８に設けられたキャリブレーションスイッチ（図示せず）を撮影者がオンすることによって、カメラ制御回路１３がキャリブレーションモードに入り、以下のフローを実行する。
【００４４】
キャリブレーションモードに入った後、自動的若しくは撮影者のシャッタースイッチ
のオンによってキャリブレーション動作がスタートする（ステップ５０１）。
【００４５】
まず、カメラ制御回路１３は、レンズ制御回路５に信号を送り、フォーカス駆動ユニ
ット３を通じて焦点調節レンズ２ａを所定位置に移動させる（ステップ５０２）。次に、
撮像素子１１から得られる画像信号のコントラストを合焦判定ユニット１６に検出させ
る（ステップ５０３）。そして、ステップ５０３が所定回数Ｎに達するまで、ステップ
５０２での焦点調節レンズ２ａの微小移動（ウォブリング）とステップ５０３でのコン
トラスト検出とを繰り返し行わせる（ステップ５０３ａ）。
【００４６】
合焦判定ユニット１６は、Ｎ個のコントラスト検出結果のうち最もコントラストの高
い画像信号が得られた焦点調節レンズ２ａの位置を合焦位置と判定し、カメラ制御回路
１３に信号を送る。カメラ制御回路１３はそのときのフォーカス位置検出器４からの位
置情報をレンズ制御回路５を通じて得て、合焦位置情報を作成する（ステップ５０４）。
【００４７】
続いて、カメラ制御回路１３は、焦点検出ユニット１２に位相差検出方式による焦点
検出を行わせ、そのときの検出結果、すなわち焦点外れ量（デフォーカス量）を焦点調
節レンズ２ａの合焦方向への駆動量に換算した値を、フォーカス位置検出器４からの位
置情報に加えて合焦位置情報を作成する（ステップ５０５）。
【００４８】
カメラ制御回路１３は、合焦判定ユニット１６により合焦判定されたときの合焦位置
情報と、第１の焦点検出ユニット１２による検出結果から得られた合焦位置情報との差
分である合焦位置補正値を演算回路１４に算出させる（ステップ５０６）。
【００４９】
そして、演算回路１４に算出された合焦位置補正値を記憶回路１５に記憶させる（ス
テップ５０７）。以上でキャリブレーションが終了する。
【００５０】
ここで、ステップ５０４とステップ５０５との間にタイムラグがあると、被写体の移
動等によって誤差が生じることも考えられるため、ステップ５０４とステップ５０５は
実質的に同時に行われることがより望ましい。
【００５１】
また、上述したように一般的な被写体を用いてキャリブレーションを行おうとすると、
被写体の移動等により誤差が生じることが考えられるため、カメラ内にキャリブレーシ
ョン用のチャートを内蔵し、このチャートを用いてキャリブレーションを行う方法や、
パーソナルコンピュータとの接続によりＰＣの画面上にチャートを映し出し、このチャ
ートを用いてキャリブレーションを行う方法を採るようにしてもよい。
【００５２】
また、補助光等によるパターン投光を用いてキャリブレーションを行うといった方法
を用いると、より高精度なキャリブレーションを行うことが可能となる。
【００５３】
また、第１の前提技術では、合焦判定ユニット１６として、従来のビデオカメラに用いられているコントラスト検出方式の焦点検出装置と同様のもの用いたが、カメラ本体８に機械的なシャッターが備えられていたり、電子シャッターを行うことができない撮像素子を用いており、従来のコントラスト検出方式の焦点検出を行えない場合には、複数枚の画像を撮影し、これらの画像のコントラストを検出するようにしてもよい。
【００５４】
なお、合焦位置補正値の記憶については、カメラ本体８に設けられた記憶回路１４に
この合焦位置補正値のみを記憶させるようにしてもよいし、上記式（１）中の補正値Ｃ
の値を含むような数値として記憶してもよい。
【００５５】
また、合焦位置補正値を、撮影レンズ１内に設けられた記憶回路６内の補正値Ｃを書
き換えて記憶させてもよいし、補正値Ｃとは別の補正値として記憶させるようにしても
よい。
【００５６】
また、上述したようなキャリブレーション動作を被写体距離ごとに行い、各被写体距
離に対応づけて合焦位置補正値を記憶回路１４等に記憶させるようにすれば、被写体距
離にかかわらず高精度な合焦制御を行わせることができる。
【００５７】
また、上述したようなキャリブレーション動作を撮影レンズの機種ごとに行い、レン
ズ機種を識別する識別情報ごとに合焦位置補正値を記憶回路１４等に記憶させておくよ
うにしてもよい。
【００５８】
さらに、第１の前提技術のキャリブレーション動作では、合焦判定ユニット１６を用いた合焦位置情報の作成後に焦点検出ユニット１２による焦点検出を行っているが、合焦判定ユニット１６を用いた合焦位置情報の作成前に焦点検出ユニット１２による焦点検出を行うことにより、ステップ５０２で焦点調節レンズ２ａを駆動する範囲を位相差検出方式による焦点検出により検出された合焦位置付近に限定することができ、より速くキャリブレーションを完了することが可能となる。
【００５９】
次に、上記キャリブレーションモードで算出記憶された合焦位置補正値を用いて、実
際に撮影を行う場合のカメラの動作について、図６のフローチャートを用いて説明する。
【００６０】
ここでは、合焦位置補正値は、上記補正値Ｃとは別にカメラ本体８内の記憶回路１５
に記憶されているものとする。
【００６１】
カメラ本体８のシャッターボタンが第１ストローク操作されて半押し状態になると
（ステップ６０１）、カメラ制御回路１３は、焦点検出ユニット１２により位相差検出
方式での焦点検出を行わせる（ステップ６０２）。
【００６２】
次に、カメラ制御回路１３は、焦点検出ユニット１２による焦点検出結果（焦点外れ
量）に基づいて算出した焦点調節レンズ２ａの合焦駆動量とフォーカス位置検出器４に
より検出された現在の焦点調節レンズ２ａの位置情報とから、焦点調節レンズ２ａの合
焦目標位置となる合焦位置情報（合焦制御情報）を作成し、さらにこの合焦位置情報に
対し、撮影レンズ１に固有の設計上の補正値Ｃおよびキャリブレーションモードで作成
した合焦位置補正値を用いて補正を行う（ステップ６０３）。
【００６３】
次に、カメラ制御回路１３は、補正された合焦位置情報に基づいてレンズ制御回路５
に駆動指令を通信する。レンズ制御回路５は、フォーカス駆動ユニット３を通じて焦点
調節レンズを、補正された合焦位置情報に対応する位置がフォーカス位置検出器４によ
り検出されるまで駆動し、合焦動作を完了する（ステップ６０４）。
【００６４】
その後、シャッターボタンが第２ストローク操作されて全押し状態となることにより
（ステップ６０５）、撮影を行う（ステップ６０６）。
【００６５】
以上のように、第１の前提技術では、キャリブレーションモードにおいて、位相差検出方式で焦点検出を行う焦点検出ユニット１２とコントラスト検出方式により合焦判定を行う合焦判定ユニット１６のそれぞれから得られる合焦位置の差分（補正情報）を記憶し、この記憶した補正情報によって撮影時に焦点検出ユニット１２を用いて得られる合焦制御情報を補正するようにしているので、位相差検出方式による高速性を維持しつつ、高精度での合焦制御が可能となる。
【００６６】
また、前述したように合焦位置補正値を補正値Ｃを含むような数値としてカメラ本体
８内の記憶回路１５に記憶させておくことにより、補正値Ｃを撮影レンズ１とカメラ本
体８との間で通信する必要がなくなり、さらに高速での合焦制御が可能となる。
【００６７】
次に、本発明の第２の前提技術について説明する。
【００６８】
図７には、本発明の第２の前提技術であるデジタル一眼レフカメラシステムにおける
キャリブレーション動作のフローチャートを示している。なお、カメラシステムの構成
は、第１の前提技術と同様である。このため、第１の前提技術と共通する構成要素には第１の前提技術と同符号を付して説明する。第２の前提技術では、キャリブレーションモードを設定せずに自動的に合焦位置補正値を算出する。
【００６９】
キャリブレーションがスタートすると（ステップ７０１）、まず、カメラ制御回路１
３は、焦点検出ユニット１２に位相差検出方式による焦点検出を行わせ、第１の前提技術と同様に合焦位置情報を作成する（ステップ７０２）。次に、この合焦位置情報に基づいて、レンズ制御回路５およびフォーカス駆動ユニット３を通じて焦点調節レンズ２ａを駆動させ、合焦動作を行わせる（ステップ７０３）。
【００７０】
次に、カメラ制御回路１３は、フォーカス駆動ユニット３により、ステップ７０３で
駆動された位置にある焦点調節レンズ２ａを微小量移動させる（ステップ７０４）。
【００７１】
この状態で、カメラ制御回路１３は、合焦判定ユニット１６にコントラスト検出を行
わせ（ステップ７０５）、ステップ７０４とステップ７０５を所定のＮ回繰り返した後
（ステップ７０５ａ）、検出したコントラストのうち最もコントラストの高い画像信号
が得られたときの焦点調節レンズ２ａの位置（フォーカス位置検出器４により検出され
た位置）から合焦位置情報を作成する（ステップ７０６）。
【００７２】
次に、ステップ７０６で得られた合焦位置情報とステップ７０２で焦点検出ユニット
１２を用いて得られた合焦位置情報との差分である合焦位置補正値を演算回路１４にて
算出する（ステップ７０７）。
【００７３】
そして、算出された合焦位置補正値を記憶回路１５に記憶させる（ステップ７０８）。
以上の動作によりキャリブレーションが終了する。
【００７４】
ここで、キャリブレーションを開始するタイミングについては、撮影者がシャッター
ボタンに触れていない状況で行い、撮影者がシャッターボタンを第１ストローク操作し
たときにはキャリブレーションを中断するといった方法を採ることができる。また、実
際の撮影時に、設定されたシャッタースピードの１／２以下のシャッタースピードで焦
点調節レンズ２ａを移動させながら(異なる合焦状態で)複数回撮影を行い、最もジャス
トピントのものを選択し、撮影終了後の画像処理により明るさを補正して、設定された
シャッタースピードでの撮影と同等の撮影画像が得られるようにする方法を用いてもよ
い。
【００７５】
上記キャリブレーションで作成した合焦位置補正値を用いての実際に撮影動作は、上
記第１の前提技術にて説明したのと同様である。
【００７６】
（実施例１）
次に、本発明の実施例について図面を参照しながら詳細に説明する。
【００７７】
前述した第１および第２の前提技術にて説明した合焦位置に関するキャリブレーションに加えて、露出に関するキャリブレーションを行うようにしてもよい。
【００７８】
図８には、本発明の実施例１であるデジタル一眼レフカメラシステムの構成を示して
いる。なお、第１の前提技術と共通する構成要素には、第１の前提技術と同符号を用いている。但し、第１および第２の前提技術にて説明した合焦位置のキャリブレーションに関する構成要素は、図８において省略している。
【００７９】
本実施例では、測光ユニット２０と、撮像素子１１の露出制御を行う露出制御回路２
１と、撮像素子１１の露光量を検出するための露光量検出回路２２と、演算回路を兼ね
るカメラ制御回路１３'と、記憶回路２４とが第１の前提技術のカメラ本体８に追加されている。
【００８０】
次に、露出に関するキャリブレーションについて図９のフローチャートを用いて説明
する。
撮影者のスイッチ操作によりキャリブレーションモードに入ると（ステップ９０１）、
カメラ制御回路１３'は、測光ユニット２０に測光を行わせる（ステップ９０２）。その
後、測光ユニット１２による測光結果に基づいて露出を設定すし（ステップ９０３）、
設定された露出での撮影を行う（ステップ９０４）。
【００８１】
そして、ステップ９０３で設定された露出を所定値だけ変更し（ステップ９０５）、
この変更後の露出での撮影を行う（ステップ９０６）。こうしてステップ９０５とステ
ップ９０６とを所定のＮ回繰り返した後(ステップ９０６ａ)、ステップ９０４およびス
テップ９０６で撮影されたＮ個の画像の露光量を露光量検出回路２２にて検出する（ス
テップ９０７）。
【００８２】
次に、検出された露光量のうち、最適な露出が得られているものに対する露出値を最
適露出値として算出する(ステップ９０７)。次に、この最適露出値とステップ９０３で
設定した露出との差分を演算回路としてのカメラ制御回路１３'が算出する（ステップ９
０８）。カメラ制御回路１３'は、算出した差分を露出補正値として記憶回路２４に記憶
させる（ステップ９０９）。以上で露出のキャリブレーションが終了する。
【００８３】
ここで、露出キャリブレーションは、前述した合焦位置のキャリブレーション時に行
った複数回の画像撮影時に同時に露出変更をしながら撮影を行うことで行ってもよい。
【００８４】
次に、露出キャリブレーションにより算出した露出補正値を用いて撮影を行う動作に
ついて、図１０のフローチャートを用いて説明する。
【００８５】
撮影者によりシャッターボタンが第１ストローク操作されて半押し状態になると（ス
テップ１００１）、カメラ制御回路１３'は、測光ユニット２０に測光を行わせる（ステ
ップ１００２）。
【００８６】
そして、測光ユニット２０による測光結果に基づいて得られる露出値を、記憶回路２
４に記憶された露出補正値を用いて補正する（ステップ１００３）。さらに、この補正
された結果に基づいて撮影時の露出設定を行う（ステップ１００４）。
【００８７】
その後、シャッターボタンが第２ストローク操作されて全押し状態となると、カメラ
制御回路１３'は撮影を行う（ステップ１００５）。
【００８８】
以上のように、露出キャリブレーションによって得られた露出補正値を用いて撮影時
の露出補正を行うことで、最適な露出の設定が可能となる。
【００８９】
ここで、第１および第２の前提技術にて説明した合焦位置キャリブレーションと本実
施例にて説明した露出キャリブレーションは、撮影レンズ１が交換されるごとに行われ
ることが望ましいため、新たに装着された撮影レンズ１に対応する合焦位置補正値や露
出補正値がカメラ本体８の記憶回路に記憶されていない場合には、撮影者にその旨を音
や表示によって警告することが望ましい。
【００９０】
また、合焦位置補正値や露出補正値は、上記の第１及び第２の前提技術と、本実施例とでは、カメラ本体８内に設けられた記憶回路に記憶されているが、撮影レンズ１内に設けられている記憶回路に記憶されていた従来の補正値を書き換えるようにしてもよい。
【図面の簡単な説明】
【００９１】
【図１】本発明の第１の前提技術であるカメラシステムの構成を示す図である。
【図２】上記カメラシステムを構成する焦点検出ユニットの主要部分の構成を示す図である。
【図３】図２に示した絞りの平面図である。
【図４】図２に示した光電変換素子の平面図である。
【図５】上記カメラシステムにおける合焦位置キャリブレーション動作を示すフローチャートである。
【図６】上記合焦位置キャリブレーションにより算出した補正値を用いて撮影を行う際のカメラの動作を示すフローチャートである。
【図７】本発明の第２の前提技術であるカメラシステムにおける合焦位置キャリブレーション動作のフローチャートである。
【図８】本発明の実施例１であるカメラシステムの構成を示す図である。
【図９】上記実施例１における露出キャリブレーション動作を示すフローチャートである。
【図１０】上記露出補正キャリブレーションにより算出した補正値を用いて撮影を行う際のカメラの動作を示すフローチャートである。
【符号の説明】
【００９２】
１ 撮影レンズ
２ 撮像光学系
３ フォーカス駆動ユニット
４ フォーカス位置検出器
５ レンズ制御回路
６ 記憶回路
７ 通信接点
８ カメラ本体
９ 主ミラ−
１０ サブミラー
１１ 撮像素子
１２ 焦点検出ユニット
１３，１３' カメラ制御回路
１４ 演算回路
１５ 記憶回路
１６ 合焦判定ユニット
１７ 焦点板
１８ ペンタプリズム
１９ 接眼光学系
２０ 測光ユニット
２１ 露出制御回路
２２ 露光量検出回路
２４ 記憶回路
【図１】
2005031692.tif 000003
【図２】
2005031692.tif 000004
【図３】
2005031692.tif 000005
【図４】
2005031692.tif 000006
【図５】
2005031692.tif 000007
【図６】
2005031692.tif 000008
【図７】
2005031692.tif 000009
【図８】
2005031692.tif 000010
【図９】
2005031692.tif 000011
【図１０】
2005031692.tif 000012